(57)【要約】【課題】異物質がドアフレームのベンディング部とチョークカバー間のギャップにつかないようにして衛生上の問題点を解消し、且つ、キャパシタの大きさを適切に調節することで、マグネトロンから発生する電磁波を効果的に遮蔽し得るマイクロウエーブオーブンのドアを提供する。【解決手段】食物の調理空間であるキャビティ２を有するケーシング１０の前面に開閉自在に設置されたドアファンネル２１と、前記キャビティ２の前方に位置して、前記ドアファンネル２１の内側に結合されるドアフレーム２２と、該ドアフレーム２２に係合されて、前記チョークシールをカバーするチョークカバー２４と、該チョークカバーに対向して屈曲形成されることで、該チョークカバー２４とドアフレーム２２間に形成されるギャップを無くすために、前記ドアフレーム２２に固定されるフレーム補助板２５と、を包含してマイクロウエーブオーブンのドアを構成する。【選択図】　　　図１
2004146341.tif 000002
【特許請求の範囲】
【請求項１】
食物の調理空間であるキャビティを有するケーシングの前面部に開閉自在に設置されたドアファンネルと、
前記キャビティの前方に位置して、前記ドアファンネルに結合されるドアフレームと、
該ドアフレームに係合されて、前記チョークシールをカバーするチョークカバーと、
該チョークカバーに対向して位置されることで、該チョークカバーとドアフレーム間に形成されるギャップを無くすために、前記ドアフレームに固定されるフレーム補助板と、を包含して構成されたことを特徴とするマイクロウエーブオーブンのドア。
【請求項２】
前記フレーム補助板は、鉄板材により形成されることを特徴とする請求項１記載のマイクロウエーブオーブンのドア。
【請求項３】
前記フレーム補助板は、前記ドアフレームの一方側に固定される固定部と、該固定部の端部から延長されて、前記ドアフレームのベンディング部をカバーするカバー部と、から形成されることを特徴とする請求項１記載のマイクロウエーブオーブンのドア。
【請求項４】
前記フレーム補助板は、前記ドアフレームと所定間隔を維持するように形成されることを特徴とする請求項１記載のマイクロウエーブオーブンのドア。
【請求項５】
前記ドアフレームと前記ケーシングの前面部間に第１キャパシタンスが形成され、該キャパシタンスと直列に、ドアフレームの端部に第１インダクタンスが形成され、前記ドアフレームの先端と前記フレーム補助板の先端間に第２キャパシタンスが形成され、前記ドアフレーム及び前記フレーム補助板のショート面から前記フレーム補助板の先端間に第２インダクタンスが形成されることを特徴とする請求項１記載のマイクロウエーブオーブンのドア。
【請求項６】
前記第２インダクタンスは、λ／４以下の長さであることを特徴とする請求項５記載のマイクロウエーブオーブンのドア。
【発明の詳細な説明】
【０００１】
【発明の属する技術分野】
本発明は、マイクロウエーブオーブンのドアに係るもので、詳しくは、ドアフレームとチョークカバー間に形成されたギャップ（隙間）に食物の残りのような異物質がつくことを防止すると共に、電磁波を効果的に遮蔽し得るマイクロウエーブオーブンのドアに関するものである。
【０００２】
【従来の技術】
一般に、マイクロウエーブオーブンは、電気を利用して電磁波を生成し、該電磁波を調理対象物に浸透させて、分子間の運動を活性化させることで調理対象物を加熱する調理装置である。
図６は従来マイクロウエーブオーブンの構成を示した斜視図、図７は図６のＩ−Ｉ線断面図、図８は図７の“Ａ”部拡大図、図９は従来マイクロウエーブオーブンのＬＣ共振回路図である。
【０００３】
図示されたように、従来のマイクロウエーブオーブンにおいては、中空６面体状に形成されたケーシング１と、該ケーシング１の内部に調理用空間として形成されたキャビティ２と、前記ケーシング１の一方側のキャビティ２の前面に開閉自在に軸支されたドア３と、を含んで構成されている。
且つ、前記ケーシング１の内部のキャビティ２の側方にはマグネトロンの電磁波発生器が収納され、該電磁波発生器の側方には多様な調理モードを選択し得る操作部４が装着されている。
【０００４】
又、前記ドア３においては、鉄板によりほぼ断面Ｓ字状に屈曲形成されたドアフレーム６と、該ドアフレーム６の中間部の開口側に、外部からキャビティ２の内部をのぞくために装着された透視窓７と、前記ドアフレーム６の内部に、電磁波の漏洩を防止するために挿入されたチョークシールＳと、該チョークシールＳを密封するために、前記ドアフレーム６とキャビティ２の前面間に係合されたチョークカバー８と、該チョークカバー８の外縁及び前記透視窓７の外縁に沿って被覆形成されたドアファンネル５と、を包含して構成されている。
【０００５】
そして、このように構成された従来のマイクロウエーブオーブンの動作においては、キャビティ２の内部に調理対象物を入れてドア３を閉めた後、操作部４の操作によりマイクロウエーブオーブンを動作させると、電装室のマグネトロンから生成された電磁波及びキャビティ２の内部に設置されたハロゲンヒータ（図示せず）から発生した輻射熱によって調理対象物が加熱されることで調理が行われる。
また、マグネトロンから生成された電磁波を遮蔽するために、ドアフレームの端部６ａとケーシングの前面部１ａ間に第１キャパシタンスＣ１が形成され、前記ドアフレームの端部６ａにインダクタンスＬが形成され、所定長さ屈曲形成された前記ドアフレームの先端６ｂとドアフレームのベンディング部６ｃ間に第２キャパシタンスＣ２が形成される。
【０００６】
然るに、このような従来のマイクロウエーブオーブンにおいては、ＬＣ共振回路を構成するために所定厚さを有するドアフレーム６を屈曲形成しているが、このとき、ドアフレームのベンディング部６ｃに所定半径部Ｒが形成されるため、チョークカバー８の先端とドアフレームのベンディング部６ｃ間にギャップ（隙間）Ｇが発生することになる。
即ち、チョークカバーの端面８ａとドアフレームのベンディング部６ｃ間にギャップＧが発生しないようにするためには、チョークカバーの端面８ａとそれに隣接されるドアフレームのベンディング部６ｃとを相互フラットに密着させるべきである（ギャップなしに密着させる）。
【０００７】
このために、合成樹脂のような材質で射出成形されるチョークカバー８は、フラットな形状に製造することができるが、ベンディング作業により製作される鉄板材のドアフレーム６はフラットな形状に製造しがたく、そのベンディングされた部分に半径部Ｒが発生することで、チョークカバー８をドアフレームのベンディング部６ｃに密着させてもギャップが発生することになる。
【０００８】
【発明が解決しようとする課題】
以上説明したように、従来のマイクロウエーブオーブンにおいては、チョークカバー８とドアフレームのベンディング部６ｃ間にギャップが発生する場合、該ギャップＧの内部に食物の残りのような異物質がつくが、このような現象は、低出力（１ＫＷ）の家庭用オーブンよりも、高出力（２ＫＷ）で大型の営業用マイクロウエーブオーブンにより深刻に発生するという不都合な点があった。
また、このようにチョークカバーとベンディング部間に発生したギャップに異物質がつくと、清掃が困難になり、清掃後にも、異物質が完全に除去されずに残存し、腐敗して衛生上深刻な問題を起すという不都合な点があった。
【０００９】
本発明は、このような従来の課題に鑑みてなされたもので、異物質がドアフレームのベンディング部とチョークカバー間に発生したギャップＧにつかないように、ドアフレームの一方側にフレーム補助板を設置することで、衛生上の問題点を解消し得るマイクロウエーブオーブンのドアを提供することを目的とする。
且つ、キャパシタンスの大きさを適切に調節することで、マグネトロンから発生する電磁波を効果的に遮蔽し得るマイクロウエーブオーブンのドアを提供することを目的とする。
【００１０】
【課題を解決するための手段】
このような目的を達成するため、本発明に係るマイクロウエーブオーブンのドアにおいては、ケーシングの前面部に開閉自在に設置されたドアファンネルと、キャビティの前方に位置して前記ドアファンネルに挿入結合されるドアフレームと、前記キャビティの内部を外部からのぞくために前記ドアフレームの中間に装着された透視窓と、前記ドアフレームの屈曲部位に係合されてチョークシールをカバーするチョークカバーと、該チョークカバーに対向して係合されることで、該チョークカバーとドアフレーム間に形成されるギャップを無くすように、前記ドアフレームに設置されるフレーム補助板と、を包含して構成されたことを特徴とする。
【００１１】
且つ、前記フレーム補助板は、前記ドアフレームの一方側に固定される固定部と、該固定部の端部から延長されて、前記ドアフレームのベンディング部をカバーするカバー部と、から形成されることを特徴とする。
又、前記フレーム補助板は、前記ドアフレームと所定間隔を維持するように形成されることを特徴とする。
又、本発明に係るマイクロウエーブオーブンのドアにおいては、ドアフレームの一方端が第１インダクタンスＬ１に形成され、ドアフレームの一方端とケーシングの前面間には第１キャパシタンスＣ１が形成され、前記ドアフレームとフレーム補助板のショート面からフレーム補助板の端面間に第２インダクタンスＬ２が形成され、前記フレーム補助板の端面とドアフレームの端面間には第２キャパシタンスＣ２が形成されることを特徴とする。
【００１２】
【発明の実施の形態】
以下、本発明の実施の形態に対し、図面に基づいて説明する。
図１は本発明に係るマイクロウエーブオーブンを示した斜視図、図２は本発明のドアフレームに設置されたフレーム補助板とチョークカバーの組立位置を示した部分切開斜視図、図３は図１のＩＩ−ＩＩ線断面図として本発明の電磁波遮蔽構造を示したＬＣ回路図、図４は図３の“Ｂ”部拡大図、図５は本発明の遮蔽特性を示したグラフである。
【００１３】
図示されたように、本発明に係るマイクロウエーブオーブンにおいては、外枠体としてのケーシング１０と、該ケーシング１０の内部に調理用空間として形成されたキャビティ２と、前記ケーシング１０の一方側のキャビティ２を開閉するドア２０と、を含んで構成されている。
【００１４】
又、前記ドア２０は、ケーシング１０の前面に開閉自在に設置されたドアファンネル２１と、調理用キャビティ２の前方に対向して前記ドアファンネル２１の内側に屈曲係合され、屈曲部にチョークシールＳが挿入されたドアフレーム２２と、キャビティ２の内部を外部からのぞくためにドアフレーム２２の中間に装着された透視窓２３と、ドアフレーム２２の屈曲部位に係合されて前記チョークシールＳをカバーするチョークカバー２４と、該チョークカバー２４に対向して屈曲形成されることで、該チョークカバー２４の屈曲部分とドアフレーム２２の屈曲端間に形成されるギャップを無くしたフレーム補助板２５と、から構成されている。
【００１５】
又、前記ドアファンネル２１は、合成樹脂等の材質により製造されて、その前面一方側にドア２０を開閉し得るドアハンドル２１ａが係合される。
且つ、前記ドアフレーム２２は、電気導体の鋼鉄板により形成されて、ドアファンネル２１に挿入結合され、チョークシールＳが挿入されるように数回屈曲形成される。又、前記チョークシールＳをカバーリングするために、ドアフレーム２２の一方側面にチョークカバー２４が設置され、図８に示したように、前記チョークカバー８の端部とドアフレーム８ａのベンディング部６ｃ間に形成されるギャップＧをなくすために、前記ドアフレーム２２の一方側にフレーム補助板２５が更に固定設置される。
【００１６】
且つ、該フレーム補助板２５は、鉄板材により形成されて、ドアフレーム２２と所定間隔ｈを有して屈曲係合され、前記ドアフレーム２２の一方側に溶接固定される固定部２５Ａと、該固定部２５Ａの端部から延長されて、ドアフレーム２２のベンディング部２２ＣをカバーリングしてギャップＧを無くすカバー部２５Ｂと、から形成されている。
【００１７】
このような本発明に係るマイクロウエーブオーブンにおいては、使用者がマイクロウエーブオーブンを利用して食物を調理するためにドア２０を開けて、食物をキャビティ２の内部のターンテーブルに置いた後、ドア２０を閉めて、操作部４により調理を行うが、このとき、図３に示されたギャップＧをフレーム補助板２５のカバー部２５Ｂがカバーリングして除去することで、そのギャップに食物の残りのような異物質がつかなくなり、よって、常に清潔を維持することができる。
【００１８】
また、図３及び図４に示したように、マグネトロンから生成された電磁波を遮蔽させるためのＬＣ共振回路においては、ドアフレームの端部２２ａとケーシングの前面部１０ａ間に第１キャパシタンスＣ１が形成され、前記ドアフレームの端部２２ａに第１インダクタンスＬ１が形成され、所定長さ屈曲形成された前記ドアフレームの先端２２ｂとドアフレームのベンディング部２２ｃ間に第２キャパシタンスＣ２が形成されるが、本発明においては、クオリティ・ファクター（品質係数）Ｃ２／Ｃ１を考慮して、第２キャパシタンスＣ２が小さくなるほどクオリティ・ファクターも小さくなり、このとき、周波数の遮蔽バンド幅が広くなることで、遮蔽特性を向上し得ることに着眼している。
【００１９】
即ち、前記ドアフレーム２２の一方側にフレーム補助板２５を設置して、ドアフレームのベンディング部２２ｃをカバーリングすることで、異物質による非衛生的な問題点を解決すると同時に、ＬＣ共振回路で第２キャパシタンスＣ２を減少させ、第２インダクタＬ２を増加することで電磁波遮蔽特性を向上することができる。
以下、本発明に係るマイクロウエーブオーブンの電磁波遮蔽構造に対して説明する。
【００２０】
一般に、マイクロウエーブオーブンのマグネトロンから発生する電磁波（周波数２．４５ＧＨｚ）は、人体に有害なだけでなく、他の電気電子製品にも悪い影響を与えるため、外部に漏出されないようにすべきであるが、そのために、本発明では、前記ドアフレームの端部２２ａとケーシングの前面部１０ａ間に第１キャパシタンスＣ１が形成され、該第１キャパシタンスと直列に、ドアフレーム２２の端部に第１インダクタンスＬ１が形成され、前記ドアフレームの先端２２ｂとフレーム補助板２２の端２５ａ間に第２キャパシタンスＣ２が形成され、前記ドアフレーム２２とフレーム補助板２５のショート面（溶接面）Ｗからフレーム補助板の先端２５ａ間に第２インダクタンスＬ２が形成される。
【００２１】
本発明においては、従来とは異なり、フレーム補助板２５を設置することで、第２キャパシタンスＣ２の大きさを減少させると同時に、ショート面（溶接面）Ｗからλ／４（λ：使用周波数の自由空間の波長）以下の第２インダクタンスＬ２を形成することで、電磁波の遮蔽性能を向上することができる。
図５は本発明の遮蔽特性を示したグラフで、図示されたように、横軸（Ｘ軸）は周波数を示し、縦軸（Ｙ軸）はドアを通過して進行する電磁波の透過量を入射波でノーマライジングした量を示し、曲線ａ及び曲線ｂは、従来遮蔽構造による比較例１及び比較例２で、曲線ｃは、本発明の遮蔽構造によるグラフを示したものである。
前記グラフに示されたように、前記曲線ａはＣ２／Ｃ１＝１で、曲線ｂはＣ２／Ｃ１＝０．５で、曲線ｃはＣ２／Ｃ１＝０．０５である。
【００２２】
また、第２キャパシタンスＣ２が漸次減少された時、クオリティ・ファクター（品質係数）が低くなり、よって、曲線ｃのように電磁波遮蔽バンド幅が大幅に広くなって、低出力の家庭用マイクロウエーブオーブンは勿論で、高出力で大型の営業用マイクロウエーブオーブンで効果的に電磁波を遮蔽し得ることが確認された。
【００２３】
【発明の効果】
以上説明したように、本発明に係るマイクロウエーブオーブンにおいては、ドアフレームのベンディング部とチョークカバー間に発生したギャップを除去して、従来そのギャップに食物の残りのような異物質がついて発生した衛生上の問題点を解決できることは勿論で、第２キャパシタンスの大きさを適切に調節して、電磁波遮蔽バンド幅を広げることで、電磁波を効果的に遮蔽し得るという効果がある。
【図面の簡単な説明】
【図１】本発明に係るマイクロウエーブオーブンを示した斜視図である。
【図２】本発明のドアフレームに設置されたフレーム補助板とチョークカバーの組立位置を示した部分切開斜視図である。
【図３】図１のＩＩ−ＩＩ線断面図で、本発明の電磁波遮蔽構造を示したＬＣ回路図である。
【図４】図３の“Ｂ”部拡大図である。
【図５】本発明の共振特性を示したグラフである。
【図６】従来のマイクロウエーブオーブンを示した斜視図である。
【図７】図６のＩ−Ｉ線断面図である。
【図８】図７の“Ａ”部拡大図である。
【図９】従来のマイクロウエーブオーブンのＬＣ共振回路図である。
【符号の説明】
１０…ケーシング
１０ａ…ケーシングの前面部
２０…ドア
２１…ドアファンネル
２２…ドアフレーム
２２ａ…ドアフレームの端部
２２ｂ…ドアフレームの先端
２２ｃ…ドアフレームのベンディング部
２３…透視窓
２４…チョークカバー
Ｓ…チョークシール
２５…フレーム補助板
２５ａ…フレーム補助板の先端
２５Ａ…フレーム補助板の固定部
２５Ｂ…カバー部
ｈ…間隔
Ｃ１…第１キャパシタンス
Ｃ２…第２キャパシタンス
Ｌ１…第１インダクタンス
Ｌ２…第２インダクタンス
【図１】
2004146341.tif 000003
【図２】
2004146341.tif 000004
【図３】
2004146341.tif 000005
【図４】
2004146341.tif 000006
【図５】
2004146341.tif 000007
【図６】
2004146341.tif 000008
【図７】
2004146341.tif 000009
【図８】
2004146341.tif 000010
【図９】
2004146341.tif 000011